(57)【要約】【課題】モータユニットとホース内の電源コードとの接続及び取り外しを容易にしつつ、モータユニットとホースとの接続部分を可及的に圧縮する。【解決手段】この接続構造１では、モータユニット側のコネクタ４をモータケース１０の連結側の開口に当該開口から突出して配設し、電源コード側のコネクタ５を端キャップ２０の連結側の開口から奥側の端キャップ２０の中に引き込ませて配設し、モータユニット側のコネクタ４と電源コード側のコネクタ５を端キャップ２０の中で接続する。【選択図】図２
2011045526.tif 000002
【特許請求の範囲】
【請求項１】
略筒状のモータケースに着脱可能に収容され、歯科用工具に駆動力を供給するためのモータユニットと、前記モータケースの一端に着脱自在に連結される略筒状の端キャップに挿着され、前記モータユニットに電源を供給するための電源コードが挿通されるホースと、前記モータケースと前記端キャップとの間に配設され、前記モータユニットと前記電源コードとを電気的に接続する前記モータユニット側及び前記電源コード側のコネクタとを備え、前記モータケースと前記端キャップとを連結することにより、前記モータユニットと前記電源コードとを電気的に接続する形式の歯科用ハンドピースのモータユニットと電源コードとの接続構造において、
前記モータユニット側のコネクタは前記モータケースの連結側開口に当該開口から突出して配設され、
前記電源コード側のコネクタは前記端キャップの連結側開口から奥側の前記端キャップの中に引き込ませて配置され、
前記モータユニット側のコネクタと前記電源コード側のコネクタは前記端キャップの中で接続される、
ことを特徴とする歯科用ハンドピースのモータユニットと電源コードとの接続構造。
【請求項２】
モータケースの連結側開口又は端キャップの中のいずれか一方に前記モータユニット側及び前記電源コード側のコネクタの接続を案内するための凸状ガイドが設けられ、他方に前記凸状ガイドが係合可能な凹状ガイドが形成される請求項１に記載の歯科用ハンドピースのモータユニットと電源コードとの接続構造。
【請求項３】
凸状ガイドはガイドピンからなり、モータケースの連結側開口又は端キャップの中に前記モータユニット側及び前記電源コード側の各コネクタの接続方向に前記モータユニット側又は前記電源コード側のコネクタよりも長く突出され、凹状ガイドはガイド穴からなり、前記端キャップの中又は前記モータケースの連結側開口に前記電源コード側及び前記モータユニット側の各コネクタの接続方向に前記ガイドピンが挿通可能に形成される請求項２に記載の歯科用ハンドピースのモータユニットと電源コードとの接続構造。
【請求項４】
モータユニット側のコネクタ又は電源コード側のコネクタの一方はピンからなり、前記モータユニット又は前記電源コードに接続されて、モータケースの連結側開口又は端キャップの中に前記モータユニット側及び前記電源コード側の各コネクタの接続方向に向けて配置され、他方が前記ピンを接続するためのソケットからなり、前記電源コード又は前記モータユニットに接続されて、前記端キャップの中又は前記モータケースの連結側開口に前記電源コード側及び前記モータユニット側の各コネクタの接続方向に向けて配置される請求項１乃至３のいずれかに記載の歯科用ハンドピースのモータユニットと電源コードとの接続構造。
【請求項５】
ホースに電源コードとともに流体を通すための流体ホース又は光源用の電気を供給するための電源コード又はこれらの両方が挿通され、モータケースにモータユニットとともに前記流体を通すためのパイプ又は前記光源用の電気を供給するための配線又はこれらの両方が配置されて、前記モータケースの連結側開口にモータユニット側のコネクタとともに前記パイプの端部又は前記配線に接続する電源端子若しくは電源ソケット又はこれらの両方が当該開口から突出して並列に配置され、端キャップの中に電源コード側のコネクタとともに前記流体を通すパイプ又は前記電源端子若しくは前記電源ソケットに接続可能なパイプソケット又は電源ソケット若しくは電源端子又はこれらの両方が当該端キャップの開口から奥に引き込ませて並列に配置される請求項１乃至４のいずれかに記載の歯科用ハンドピースのモータユニットと電源コードとの接続構造。
【請求項６】
モータユニット側のコネクタ、及びパイプの端部又は電源端子若しくは電源ソケット又はこれらの両方が、モータケースの連結側開口の中心に近接する円周上に並列に配置され、これに対応して、電源コード側のコネクタ、及びパイプソケット又は電源ソケット若しくは電源端子又はこれらの両方が、端キャップの中の中心に近接する円周上に並列に配置される請求項５に記載の歯科用ハンドピースのモータユニットと電源コードとの接続構造。
【請求項７】
モータケースの連結側開口の外周面に端キャップの連結側開口が外嵌可能に小径の段差部が形成され、前記モータケースと前記端キャップは一体的に連結される請求項１乃至６のいずれかに記載の歯科用ハンドピースのモータユニットと電源コードとの接続構造。
【請求項８】
モータケースと端キャップはねじにより締結され、前記モータケースの小径の段差部の外周面に雄ねじが形成され、端キャップの連結側開口の内周面に雌ねじが形成される請求項７に記載の歯科用ハンドピースのモータユニットと電源コードとの接続構造。
【請求項９】
モータケースの連結側端部に着脱可能に取り付けられ、端キャップが取り外された後の当該連結側開口を被包してモータユニット側のコネクタを保護する保護キャップを備える請求項１乃至８のいずれかに記載の歯科用ハンドピースのモータユニットと電源コードとの接続構造。
【発明の詳細な説明】
【技術分野】
【０００１】
本発明は、歯科用ハンドピースのモータユニットと電源コードとの接続構造に関する。
【背景技術】
【０００２】
一般に、歯科用ハンドピースのグリップ部は、図６及び図７に示すように、略筒状のモータケース９０に着脱可能に収容され、歯科用工具に駆動力を供給するためのモータユニット９１と、モータケース９０の後端に着脱自在に連結される略筒状の端キャップ９２に挿着され、モータユニット９１に電源を供給するための電源コードが挿通されるホース９３と、モータケース９０と端キャップ９２との間に配設され、モータユニット９１とホース９３内の電源コードとを電気的に接続するモータユニット側及び電源コード側のコネクタ９４、９５とにより構成される。この場合、モータユニット側のコネクタ９４は複数のピン９４１からなり、図８に示すように、各ピン９４１はモータユニット９１に接続されて、モータケース９０の連結側の開口内に並列に配置される。これに対して、電源コード側のコネクタ９５はモータユニット側の各ピン９４１を接続するためのソケット９５０で、このソケット９５０が端キャップ９２の連結側の開口に当該開口から外側に少し突出して配置される。このようにして、図９に示すように、モータケース９０と端キャップ９２とを連結することにより、モータユニット９１とホース９３内の電源コードが電気的に接続されるようになっている。なお、端キャップ９２は、前端側がモータケース９０の後端と同径の大径に形成され、後端側がホース９３を挿通可能に小径に形成されて、全体が前端から後端に向けて漸次小径のテーパ形状をなし、特に後端側の小径部は歯科用ユニットのインスツルメントハンガー部において、モータが使用状態か否かのセンサ検出部になっている。
【０００３】
このように歯科用ハンドピースのグリップ部はモータユニット９１、コネクタ９４、９５、端キャップ（センサ検出部）９２の３つで構成され、特に、モータユニット側のコネクタ９４（ピン９４１）がモータケース９０の連結側の開口内に配置され、電源コード側のコネクタ９５（ソケット９５０）が端キャップ９２の連結側の開口から外側に少し突出されて、モータユニット側のコネクタ９４と電源コード側のコネクタ９５がモータケース９０の連結側の開口の中で接続されるため、モータユニット９１とホース９３内の電源コードとの接続部が長くなり、この分だけ、グリップ部全体の長さ及び重さが増大することになる。歯科医や歯科技工士などの術者は、このように長く重いハンドピースを（１日中）使用するため、その作業負担は大きいものとなっている。
【０００４】
そこで、歯科医又は歯科技工士などの術者の作業が長時間に及んでも、作業負担を軽減すべく、軽量でコンパクトな歯科用ハンドピースが提案され、その一例が特許文献１などに記載されている。この文献１のハンドピースでは、図１０に示すように、モータＭが別個のカップリングなしにホース（可撓性チューブ）Ｃに接続される。すなわち、このハンドピースの場合、モータＭとホースＣとを直接接続する構造を採り、かかる構造により、モータＭとホースＣとの接続部分を最大限に圧縮して、ハンドピース（のグリップ部）の全長及び重量の大幅な縮小を図る。
【先行技術文献】
【特許文献】
【０００５】
【特許文献１】特開２００９−１４８５６９公報（段落０００５及び図１）
【発明の概要】
【発明が解決しようとする課題】
【０００６】
しかしながら、歯科治療においては、一般に、各種病原菌の患者間の（院内）感染を防止するために、器具は治療ごとに滅菌消毒され、モータもまたホースから取り外されて、例えば高温蒸気滅菌などが行われるため、上記従来の歯科用ハンドピースのように、モータとホースが直接接続される構造では、モータの取り外しがかえって煩雑になり、作業効率が悪い、という問題がある。なお、特許文献１の段落０００５にもこれに関連する同様の記載がある。
【０００７】
本発明は、このような従来の課題を解決するものであり、この種の歯科用ハンドピースのモータユニットと電源コードとの接続構造において、モータユニットとホース（電源コード）との接続及び取り外しを容易にしつつ、モータユニットとホース（電源コード）との接続部分を可及的に圧縮して、歯科用ハンドピースのグリップ部の長さ及び重さを大幅に縮小し、ひいては歯科用ハンドピース全体のコンパクト化、軽量化を図ることなど、を目的とする。
【課題を解決するための手段】
【０００８】
上記目的を達成するために、本発明は、略筒状のモータケースに着脱可能に収容され、歯科用工具に駆動力を供給するためのモータユニットと、前記モータケースの一端に着脱自在に連結される略筒状の端キャップに挿着され、前記モータユニットに電源を供給するための電源コードが挿通されるホースと、前記モータケースと前記端キャップとの間に配設され、前記モータユニットと前記電源コードとを電気的に接続する前記モータユニット側及び前記電源コード側のコネクタとを備え、前記モータケースと前記端キャップとを連結することにより、前記モータユニットと前記電源コードとを電気的に接続する形式の歯科用ハンドピースのモータユニットと電源コードとの接続構造において、前記モータユニット側のコネクタは前記モータケースの連結側開口に当該開口から突出して配設され、前記電源コード側のコネクタは前記端キャップの連結側開口から奥側の前記端キャップの中に引き込ませて配置され、前記モータユニット側のコネクタと前記電源コード側のコネクタは前記端キャップの中で接続される、ことを要旨とする。
【０００９】
また、このモータユニットと電源コードとの接続構造は各部に次のような構成が採用されることが好ましい。
（１）モータケースの連結側開口又は端キャップの中のいずれか一方に前記モータユニット側及び前記電源コード側のコネクタの接続を案内するための凸状ガイドが設けられ、他方に前記凸状ガイドが係合可能な凹状ガイドが形成される。
（２）上記（１）において、凸状ガイドはガイドピンからなり、モータケースの連結側開口又は端キャップの中に前記モータユニット側及び前記電源コード側の各コネクタの接続方向に前記モータユニット側又は前記電源コード側のコネクタよりも長く突出され、凹状ガイドはガイド穴からなり、前記端キャップの中又は前記モータケースの連結側開口に前記電源コード側及び前記モータユニット側の各コネクタの接続方向に前記ガイドピンが挿通可能に形成される。
（３）モータユニット側のコネクタ又は電源コード側のコネクタの一方はピンからなり、前記モータユニット又は前記電源コードに接続されて、モータケースの連結側開口又は端キャップの中に前記モータユニット側及び前記電源コード側の各コネクタの接続方向に向けて配置され、他方が前記ピンを接続するためのソケットからなり、前記電源コード又は前記モータユニットに接続されて、前記端キャップの中又は前記モータケースの連結側開口に前記電源コード側及び前記モータユニット側の各コネクタの接続方向に向けて配置される。
（４）ホースに電源コードとともに流体を通すための流体ホース又は光源用の電気を供給するための電源コード又はこれらの両方が挿通され、モータケースにモータユニットとともに前記流体を通すためのパイプ又は前記光源用の電気を供給するための配線又はこれらの両方が配置されて、前記モータケースの連結側開口にモータユニット側のコネクタとともに前記パイプの端部又は前記配線に接続する電源端子若しくは電源ソケット又はこれらの両方が当該開口から突出して並列に配置され、端キャップの中に電源コード側のコネクタとともに前記流体を通すパイプ又は前記電源端子若しくは前記電源ソケットに接続可能なパイプソケット又は電源ソケット若しくは電源端子又はこれらの両方が当該端キャップの開口から奥に引き込ませて並列に配置される。
（５）上記（４）において、モータユニット側のコネクタ、及びパイプの端部又は電源端子若しくは電源ソケット又はこれらの両方が、モータケースの連結側開口の中心に近接する円周上に並列に配置され、これに対応して、電源コード側のコネクタ、及びパイプソケット又は電源ソケット若しくは電源端子又はこれらの両方が、端キャップの中の中心に近接する円周上に並列に配置される。
（６）モータケースの連結側開口の外周面に端キャップの連結側開口が外嵌可能に小径の段差部が形成され、前記モータケースと前記端キャップは一体的に連結される。
（７）上記（６）において、モータケースと端キャップはねじにより締結され、前記モータケースの小径の段差部の外周面に雄ねじが形成され、端キャップの連結側開口の内周面に雌ねじが形成される。
（８）モータケースの連結側端部に着脱可能に取り付けられ、端キャップが取り外された後の当該連結側開口を被包してモータユニット側のコネクタを保護する保護キャップを備える。
【発明の効果】
【００１０】
本発明の歯科用ハンドピースのモータユニットと電源コードとの接続構造では、上記の構成により、モータユニット側のコネクタがモータケースの連結側開口に当該開口から突出して配設され、電源コード側のコネクタが端キャップの連結側開口から奥側の端キャップの中に引き込ませて配設されて、モータユニット側のコネクタと電源コード側のコネクタが端キャップの中で接続されるので、モータユニットとホースとの接続及び取り外しを容易にしつつ、モータユニットとホースとの接続部分を可及的に圧縮して、歯科用ハンドピースのグリップ部の長さ及び重さを大幅に縮小することができ、ひいては歯科用ハンドピース全体のコンパクト化及び軽量化を図ることができる。また、電源コード側のコネクタは端キャップの連結側の開口から奥側に引き込まれており、コネクタがユーザの手に触れにくい構造であるため、端キャップからモータユニットが取り外されたときに、端キャップ内のコネクタが通電中であった場合でも、このコネクタにユーザが触れる危険性をなくし、又は大幅に低減して安全性を高めることができる。
【図面の簡単な説明】
【００１１】
【図１】本発明の一実施の形態における歯科用ハンドピースのモータユニットと電源コードとの接続構造を示す分解斜視図
【図２】同接続構造の分解側面断面図
【図３】同接続構造の特にモータユニットの構成を示す分解斜視図
【図４】同接続構造の特にモータユニット側のコネクタ及び各種部品の配置状態を示すモータユニットの後端面図
【図５】同接続構造の特にモータユニットに使用する保護キャップを示す側面図
【図６】従来の歯科用ハンドピースのモータユニットと電源コードとの接続構造を示す分解斜視図
【図７】同接続構造の分解側面断面図
【図８】同接続構造の特にモータユニット側のコネクタ及び各種部品の配置状態を示すモータユニットの後端面図
【図９】同接続構造によりモータユニットと電源コードとを接続した状態を示す側面断面図
【図１０】従来の他の歯科用ハンドピースのモータユニットと電源コードとの接続構造を示す斜視図
【発明を実施するための形態】
【００１２】
次に、この発明を実施するための形態について図を用いて説明する。図１乃至図５に歯科用ハンドピースのモータユニットと電源コードとの接続構造を示している。図１及び図２において、このモータユニットと電源コードとの接続構造１は、略筒状のモータケース１０に当該モータケース１０の軸方向に着脱可能に収容され、歯科用工具（図示省略）に駆動力を供給するためのモータユニット１１と、このモータケース１０の後端に着脱自在に連結される略筒状の端キャップ２０に挿着され、モータユニット１１に電源を供給するためのモータ用電源コードが挿通されるホース３０と、モータケース１０と端キャップ２０との間に配設され、モータユニット１１とホース３０内のモータ用電源コードとを電気的に接続するモータユニット側及び電源コード側のコネクタ４、５とを備える。
【００１３】
モータユニット１１はインサート部１１Ｐ、モータ本体１１Ｍ、及びこれらを収容するモータケース１０などから構成される。図３に示すように、インサート部１１Ｐは図示されないハンドピースの他の部分（ネック部）の受け口に挿入される筒状のインサート１１１と、インサート１１１の一端に設けられてモータ本体１１Ｍの前端に固定されるキャップ１１２とからなり、この場合、キャップ１１２に貫通孔や開口が形成される。モータ本体１１Ｍはロータユニット１１３、コイル・コアユニット１１４などからなり、この場合、キャップ１１２の貫通孔や開口に対応して、コイル・コアユニット１１４に貫通孔又は溝が形成される。そして、モータ本体１１Ｍの前端にインサート部１１Ｐが固定され、モータ本体１１Ｍの後端に複数のピン孔を有するピンホルダ１１５が固定されてその周囲に外径がモータケース１０の外径よりも小さいリングねじ１１６が嵌着される。ここで、ピンホルダ１１５の周囲のリングねじ１１６は外径がモータケース１０の内径と略同径でモータケース１０の外周面の後端部に連続し、これがモータケース１０の連結側の開口の外周面で端キャップ２０の連結側の開口が外嵌可能な小径の段差部１１６Ａとして、また、このモータケース１０と端キャップ２０とをねじ締結するための雄ねじ１１６Ｂとして配置される。なお、この雄ねじ１１６Ｂはリングねじ１１６の外周面全体に形成されるものではなく、外周面の前部側に切られている。また、このモータユニット１１の場合、インサート部１１Ｐのキャップ１１２とモータ本体１１Ｍに貫通孔や開口が形成されて、この貫通孔や開口に各種の部品が着脱可能に保持される。ここで各種の部品は、口腔内で使用される水及び空気（流体）をそれぞれ通すためのピン状の水パイプ６１及びエアパイプ６２と、ＬＥＤからなる光源６３並びにこの光源６３に電源を供給するための配線６３１及び電源端子（若しくは電源ソケット）６３２などで、水パイプ６１及びエアパイプ６２はインサート部１１Ｐのキャップ１１２とモータ本体１１Ｍに形成された貫通孔間に挿通配置され、また光源６３がキャップ１１２に形成された開口に臨んで配置されるとともにこの光源６３の配線６３１がモータ本体１１Ｍの貫通孔を通じて配置される。このようにしてモータ本体１１Ｍがモータケース１０に収容され、モータケース１０の前端からインサート１１１が突出され、モータケース１０の後端にリングねじ１１６が連接され、このモータケース１０の後端開口面にピンホルダ１１５が表出される。そして、このピンホルダ１１５にモータユニット側のコネクタ４が、水パイプ６１及びエアパイプ６２の端部、光源６３の電源端子（若しくは電源ソケット）６３２が配置される。
【００１４】
端キャップ２０は既述のとおり、前端側（の外径）がモータケース１０の後端（の外径）と同径の大径に形成され、後端側（の外径及び内径）がホース３０を挿通可能に小径に形成されて、全体が前端から後端に向けて漸次小径のテーパ形状をなす。前端の開口は連結側の開口で、モータケース１０の連結側の開口の外周面に形成された小径の段差部１１６Ａ（リングねじ１１６）に外嵌可能な内径を有し、かつ当該段差部１１６Ａの外周面に切られた雄ねじ１１６Ｂ（リングねじ１１６）に螺合可能な雌ねじ２１が切られて、モータケース１０の後端にねじ締結により一体的に連結可能に形成される。なお、後端側の小径部は歯科用ユニットのインスツルメントハンガー部において、モータ本体１１Ｍが使用状態か否かのセンサ検出部になっている。かかる端キャップ２０の後端開口からホース３０が挿着される。このホース３０には、モータ用電源コードとともに、水及び空気（流体）をそれぞれ通すための水ホース及びエアホース、光源に電気を供給するための光源用電源コードがそれぞれ挿通される。
【００１５】
このモータユニットと電源コードとの接続構造１においては、特に、モータユニット側のコネクタ４はモータケース１０の連結側の開口に当該開口から突出して配設され、電源コード側のコネクタ５は端キャップ２０の連結側の開口から奥側の端キャップ２０の中に引き込ませて配置されて、モータユニット側のコネクタ４と電源コード側のコネクタ５が端キャップ２０の中で接続される。また併せて、モータケース１０の連結側の開口にはモータユニット側及び電源コード側の各コネクタ４、５の接続を案内するための凸状ガイド７１が設けられ、端キャップ２０の中には凸状ガイド７１が係合可能な凹状ガイド７２が形成される。
【００１６】
この場合、モータユニット側のコネクタ４はピン４１からなり、モータユニット１１に接続されて、モータケース１０の連結側の開口にピンホルダ１１５に挿通保持されてモータユニット側及び電源コード側の各コネクタ４、５の接続方向（モータケース１０と端キャップ２０との接続方向）に向けて配置され、電源コード側のコネクタ５はモータユニット側のピン４１を接続するためのソケット５０からなり、ホース３０内のモータ用電源コードに接続されて、端キャップ２０の中に電源コード側及びモータユニット側の各コネクタ５、４の接続方向（端キャップ２０とモータケース１０との接続方向）に向けて配置される。また、凸状ガイド７１はガイドピンからなり、モータケース１０の連結側の開口にモータユニット側及び電源コード側の各コネクタ４、５の接続方向にモータユニット側のコネクタ４よりも長く突出され、これに対応して、凹状ガイド７２はガイド穴からなり、端キャップ２０の中に電源コード側及びモータユニット側の各コネクタ５、４の接続方向にガイドピン７１が挿通可能に形成される。
【００１７】
また、この場合、図４に示すように、モータユニット側のピン４１が水パイプ６１及びエアパイプ６２の端部、光源用電源の電源端子６３２とともに、モータケース１０の連結側の開口のピンホルダ１１５上でこの開口の中心に近接する円周上に円形の配列で並列に当該開口から突出して配置され、これに対応して、電源コード側のソケット５０が図示されない水パイプソケット及びエアパイプソケット、電源ソケットとともに、端キャップ２０の中にこのキャップ２０の開口中心に近接する円周上に円形の配列で並列に端キャップ２０の連結側の開口から奥側に引き込まれて配置される。凸状ガイド７１はモータケース１０の連結側の開口上の開口中心に当該開口からモータユニット側のピン４１、水パイプ６１及びエアパイプ６２の端部、光源用電源の電源端子６３２よりも長く突出して配置され、これに対応して、凹状ガイド７２は端キャップ２０の中でこのキャップ２０の開口中心、すなわちモータ用電源コード側のソケット５０、水パイプソケット及びエアパイプソケット、光源用電源の電源ソケットの中心に配設される。
【００１８】
図５にモータユニットに使用する保護キャップを示している。図５に示すように、この保護キャップ８は、硬質のプラスチック材料又は金属材料により、前端に開口を有する略有底筒状に形成され、前端側（の外径）がモータケース１０の後端（の外径）と同径の大径に形成され、後端側（の外径）が漸次小径のテーパ形状に形成されて後端面が平面状に閉塞される。前端の開口は連結側の開口で、モータケース１０の連結側の開口の外周面に形成された小径の段差部１１６Ａ（リングねじ１１６）に嵌合可能な内径を有し、かつ当該段差部１１６Ａの外周面に切られた雄ねじ１１６Ｂ（リングねじ１１６）に螺合可能な雌ねじが切られて、モータケース１０の後端にねじ締結により一体的に連結可能に形成される。このようにして保護キャップ８はモータケース１０の連結側の開口に着脱可能に取り付けられ、端キャップ２０が取り外された後の当該連結側の開口を被包して、当該連結側の開口から突出されるモータユニット側のコネクタ４及び各種の部品６１、６２、６３２を保護するようになっている。
【００１９】
このモータユニットと電源コードとの接続構造１では、図２に示すように、モータケース１０と端キャップ２０とを連結することにより、端キャップ２０の中で、モータユニット側のコネクタ４と電源コード側のコネクタ５が電気的に接続されるとともに、水パイプ６１及びエアパイプ６２の各端部、光源用電源の電源端子６３２と、これらに対応する水パイプソケット及びエアパイプソケット、光源用電源の電源ソケットがそれぞれ接続される。この場合、モータケース１０の連結側の開口の中心に突出されるガイドピン７１を端キャップ２０の連結側の開口の中心に設けられるガイド穴７２に合わせて挿入することにより、モータケース１０の連結用の開口が端キャップ２０の連結用の開口から端キャップ２０の中に嵌入されるとともに、この端キャップ２０の中でモータケース１０の連結用の開口から突出されるモータユニット側のピン４１、水パイプ６１及びエアパイプ６２の各端部、光源用電源の電源端子６３２がそれぞれ、端キャップ２０の中に引き込まれている電源コード側のソケット５０、水パイプソケット及びエアパイプソケット、光源用電源の電源ソケットのそれぞれに接続される。そして、この状態で、モータケース１０後端のリングねじ１１６と端キャップ２０の連結用の開口の内周の（雌）ねじ２１が係合するので、モータケース１０をリングねじ１１６の締め込み方向に回すことにより、モータケース１０のリングねじ１１６が端キャップ２０のねじ２１に締め込まれて、両者が一体的に連結される。なお、端キャップ２０からモータユニット１１を取り外す場合は、上記とは反対の操作を行えばよい。これにより、モータユニット１１の後端面とホース３０は従来に比べて大幅に近接し、モータユニット１１とホース３０内の電源コードとの接続部分が従来に比べて大幅に圧縮される。
【００２０】
以上説明したように、このモータユニットと電源コードとの接続構造１によれば、モータユニット側のコネクタ４、この場合、ピン４１がモータユニット１１に接続されて、モータケース１０の連結側の開口に当該開口からモータユニット側及び電源コードの各コネクタ４、５の接続方向（モータケース１０と端キャップ２０との接続方向）に向けて突出して配設され、電源コード側のコネクタ５、この場合、ソケット５０がモータ用電源コード３１に接続されて、端キャップ２０の連結側の開口から奥側の端キャップ２０の中に引き込ませて電源コード側及びモータユニット側の各コネクタ５、４の接続方向（端キャップ２０とモータケース１０との接続方向）に向けて配設されて、モータユニット側のコネクタ４と電源コード側のコネクタ５が端キャップ２０の中で接続されるので、モータユニット１１とホース３０内のモータ用電源コードとの接続及び取り外しを容易にしつつ、モータユニット１１とモータ用電源コード３１との接続部分を可及的に圧縮して、歯科用ハンドピースのグリップ部の長さ及び重さを大幅に縮小することができ、ひいては歯科用ハンドピース全体の小型化及び軽量化を図ることができる。また、他面で、電源コード側のコネクタ５は端キャップ２０の連結側の開口から奥側の端キャップ２０の中に引き込まれていることで、このコネクタ５がユーザの手に触れにくくなっており、端キャップ２０からモータユニット１１が取り外されたときに、端キャップ２０内のコネクタ５が通電中であった場合でも、このコネクタ５にユーザが触れる危険性をなくし、又は大幅に低減して、安全性を高めることができる。
【００２１】
なお、かかる構成を変更して、電源コード側のコネクタ５がピンからなり、ホース３０内のモータ用電源コードに接続されて、端キャップ２０の中に電源コード側及びモータユニット側の各コネクタ５、４の接続方向（端キャップ２０とモータケース１０との接続方向）に向けて配置され、モータユニット側のコネクタ４がピンを接続するためのソケットからなり、モータユニット１１に接続されて、モータケース１０の連結側の開口にモータユニット側及び電源コードの各コネクタ４、５の接続方向（モータケース１０と端キャップ２０との接続方向）に向けて配置されてもよく、このようにしても上記と同様の作用効果を奏することができる。
【００２２】
また、この接続構造１の場合、モータケース１０の連結側の開口にモータユニット側のコネクタ４の接続を案内するための凸状ガイド７１、この場合、ガイドピン７１が設けられ、端キャップ２０の中に凸状ガイド７１が係合可能な凹状ガイド７２、この場合、ガイド穴７２が形成されるので、モータケース１０と端キャップ２０とを連結する際に、これら凸状ガイド７１及び凹状ガイド７２を合わせるだけで、端キャップ２０の中で、モータユニット側のコネクタ４と電源コード側のコネクタ５とを確実に接続することできる。なお、この場合、端キャップ２０の中にモータユニット側及び電源コード側の各コネクタ４、５の接続を案内するための凸状ガイド７１が設けられ、モータケース１０の連結用の開口に凸状ガイド７１が係合可能な凹状ガイド７２が形成されてもよく、このようにしても上記と同様の作用効果を奏することができる。
【００２３】
さらに、この接続構造１の場合、ホース３０にモータ用電源コードとともに水及び空気を通すための水ホース及びエアホース、光源に電気を供給するための光源用電源コードがそれぞれ挿通され、モータケース１０にモータユニット１１とともに水及び空気を通すための水パイプ６１及びエアパイプ６２、光源に電気を供給するための配線６３１がそれぞれ配置されて、モータケース１０の連結側の開口にモータユニット側のコネクタ４とともに水パイプ６１及びエアパイプ６２の端部、配線６３１に接続される電源端子（若しくは電源ソケット）６３２が当該開口から突出して並列に配置され、これに対応して、端キャップ２０の中に電源コード側のコネクタ５とともに水パイプソケット及びエアパイプソケット、電源ソケット（若しくは電源端子）が当該端キャップ２０の開口から奥に引き込ませて並列に配置されるので、モータケース１０と端キャップ２０とを連結することにより、端キャップ２０の中で、モータユニット側のコネクタ４と電源コード側のコネクタ５とを確実に電気的に接続するとともに、水パイプ６１及びエアパイプ６２の各端部、電源端子６３２を、これに対応する水パイプソケット及びエアパイプソケット、電源ソケットにそれぞれ確実に接続することができる。また、この場合、モータユニット側のコネクタ４、水パイプ６１及びエアパイプ６２の端部、電源端子６３２がそれぞれ、モータケース１０の連結側の開口の中心に近接する円周上に並列に配置され、これに対応して、電源コード側のコネクタ５、水パイプソケット及びエアパイプソケット、電源ソケットがそれぞれ、端キャップ２０の中の中心に近接する円周上に並列に配置されるので、これらの部品をモータケース１０の連結側の開口及び端キャップ２０の中の可及的に小さい内径の範囲内に配列することができる。これにより、これらの部品を端キャップ２０の中の可及的に奥側の位置、例えばセンサ検出部で接続することができる。
【００２４】
またさらに、この接続構造１の場合、モータケース１０の連結側の開口の外周面に、リングねじ１１６により、端キャップ２０の連結側の開口が外嵌可能に小径の段差部１１６Ａが設けられてその外周面の前側に雄ねじ１１６Ｂが形成され、端キャップ２０の連結側の開口の内周面に雌ねじ２１が形成されて、モータケース１０と端キャップ２０がねじ締結により一体的に連結されるので、モータケース１０の連結側の開口が端キャップ２０の中に入り込み、この端キャップ２０の中で、モータユニット側のコネクタ４と電源コード側のコネクタ５が電気的に接続され、併せて水パイプ６１及びエアパイプ６２の各端部、電源端子６３２と、これに対応する水パイプソケット及びエアパイプソケット、電源ソケットがそれぞれ接続されていても、モータケース１０と端キャップ２０との一体的な外観を良好に維持することができる。
【００２５】
またさらに、この接続構造１の場合、モータユニット１１の連結側の端部に着脱可能に専用の保護キャップ８を備えているので、この保護キャップ８を用いて、モータケース１０の連結側の開口を被包することにより、当該連結側の開口から突出されるモータユニット側のコネクタ４や各種の部品６１、６２、６３２を保護することができる。すなわち、このモータユニット１１は連結側の開口からモータユニット側のコネクタ４が水パイプ６１及びエアパイプ６２の各端部、電源端子６３２とともに突出されるので、モータユニット１１を端キャップ２０から取り外したときに、床の上に落としてしまうと、コネクタ４や他の部品６１、６２、６３２に曲げや破損が生じる虞があるが、モータユニット１１を端キャップ２０から取り外したときに、モータケース１０の連結側の開口に保護キャップ８を取り付けて、端キャップ２０が取り外された後の当該連結側の開口を被包することにより、当該連結側の開口から突出されるモータユニット側のコネクタ４や各種の部品６１、６２、６３２を保護することができる。ただし、このモータユニット１１の場合、モータケース１０の連結側の開口の中心に凸状ガイド７１がモータユニット側のコネクタ４や各種の部品６１、６２、６３２より長く突出されて、モータケース１０を保護キャップ２０が取り付けられていない状態で床の上に落としたとしても、まず凸状ガイド７１が床に接触する構造になっているので、凸状ガイド７１が強い衝撃で曲げられることがない限り、モータユニット側のコネクタ４や各種の部品６１、６２、６３２の曲げ、損傷を防止することができる。
【符号の説明】
【００２６】
１  歯科用ハンドピースのモータユニットと電源コードとの接続構造
１０  モータケース
１１  モータユニット
１１Ｐ  インサート部
１１１  インサート
１１２  キャップ
１１Ｍ  モータ本体
１１３  ロータユニット
１１４  コイル・コアユニット
１１５  ピンホルダ
１１６  リングねじ
１１６Ａ  段差部
１１６Ｂ  雄ねじ
２０  端キャップ（端キャップ）
２１  雌ねじ
３０  ホース
４  モータユニット側のコネクタ
４１  ピン
５  電源コード側のコネクタ
５０  ソケット
６１  水パイプ
６２  エアパイプ
６３  光源
６３１  配線
６３２  電源端子（若しくは電源ソケット）
７１  凸状ガイド（ガイドピン）
７２  凹状ガイド（ガイド穴）
８  保護キャップ
【図１】
2011045526.tif 000003
【図２】
2011045526.tif 000004
【図３】
2011045526.tif 000005
【図４】
2011045526.tif 000006
【図５】
2011045526.tif 000007
【図６】
2011045526.tif 000008
【図７】
2011045526.tif 000009
【図８】
2011045526.tif 000010
【図９】
2011045526.tif 000011
【図１０】
2011045526.tif 000012